(57)【要約】【課題】  給水ホースと排水ホースを３次元的に屈曲させる必要がなく、同一面内で屈曲させればよいためにガイド機構が簡単化され、それでいながら給水ホースと排水ホースを極めて小さな曲率半径でシャープに屈曲させる必要をなくせる収容機構を提供する。【解決手段】  食器洗浄機本体１０の内側面と洗浄槽１２の外側面との間の左右の扁平スペース内にはガイド部材２０が配設されている。洗浄槽１２が引出されると、給水ホース１６ｃの屈曲部は洗浄槽１２が移動した距離の半分の距離だけ前方へ移動する。支持部２０ａは前後にスライド可能に鞘部２０ｃに支持され、バネ２０ｄによって前方へ付勢されているため、支持部２０ａと案内部２０ｂは、洗浄槽１２が移動した距離の半分の距離だけ前方へスライドする。これによって、洗浄槽１２の引出し動作において、給水ホース１６ｃは２次元的に曲げられ、屈曲部を一定半径以上の曲率半径にガイドする。【選択図】  図１
2005198901.tif 000002
【特許請求の範囲】
【請求項１】
食器洗浄機本体と、
食器洗浄機本体内に引出し可能に収容される洗浄槽と、
洗浄槽に給水するための給水ホースと、
洗浄槽から排水するための排水ホースを備えており、
食器洗浄機本体の内側面と洗浄槽の外側面との間の扁平スペース内に給水ホースと排水ホースが扁平面内で曲げられた状態で収容されており、
洗浄槽の引出し動作に追従してホースの屈曲部は移動するものの屈曲部の曲率半径は一定半径以上に維持されることを特徴とする引出し式食器洗浄機。
【請求項２】
洗浄槽の側方の一方の扁平スペース内に給水ホースが収容されており、他方の扁平スペース内に排水ホースが収容されていることを特徴とする請求項１の引出し式食器洗浄機。
【請求項３】
前記扁平スペース内に、ホース屈曲部の曲率半径を一定半径以上に維持するガイド部材が、食器洗浄機本体にも洗浄槽にも移動可能に配置されていることを特徴とする請求項１または２の引出し式食器洗浄機。
【発明の詳細な説明】
【技術分野】
【０００１】
本発明は引出し式食器洗浄機に関し、詳しくは洗浄槽のスライドに給水ホースと排水ホースが無理なく追従できるように、給水ホースと排水ホースを収容する技術に関する。
【背景技術】
【０００２】
引出し式食器洗浄機では、食器洗浄機本体と洗浄槽の間を給水ホースと排水ホースで接続しておく必要がある。また引出し式食器洗浄機では、食器洗浄機本体の前面に設けられた開口部から洗浄槽を引出して食器類を収容し、洗浄槽を食器洗浄機本体内の所定位置に押戻して洗浄運転を行う。洗浄槽に接続されている給水ホースと排水ホースは、洗浄槽がスムーズにスライドすることを邪魔しないように接続しておく必要がある。
このために洗浄槽の背面と食器洗浄機本体の後板との間を、折り曲げ自在の給水ホースと排水ホースで接続する手法が採用される。洗浄槽が食器洗浄機本体内に収容されたときに、給水ホースと排水ホースが折畳まれ、食器洗浄機本体の後板と洗浄槽の背面との間の小さなスペース内に収容されるようにする。
洗浄槽を引出したり押戻したりする動作に伴って、給水ホースと排水ホースは伸ばされたり折畳まれたりする。このとき、給水ホースと排水ホースは、無理に伸ばされたり、折畳まれるときに潰れたり、あるいはねじれたりすることがある。給水ホースと排水ホースの動きがスムーズでないと、洗浄槽の引出し動作をスムーズに行うことはできない。また給水ホースや排水ホースにストレスが積み重なってかかることによって給水ホースや排水ホースの耐久性は低下する。
【０００３】
上記の問題を解決するため、特許文献１の食器洗浄機では、給水ホースと排水ホースを保持するホースホルダを備えている。ホースホルダは、その一端が食器洗浄機本体の後板または洗浄槽の背面に揺動可能に取付けられている。洗浄槽が食器洗浄機本体内から引出される動作に応じてホースホルダが回転して給水ホースと排水ホースが直線上に伸びるのをガイドする。また、洗浄槽が食器洗浄機本体内に押戻される動作に応じてホースホルダが回転して給水ホースと排水ホースがスムーズに折畳まれるようにガイドする。ホースホルダによって給水ホースと排水ホースの折畳み方がガイドされるため、洗浄槽の引出し動作に追従して給水ホースと排水ホースがスムーズに屈曲し、ホースにかかるストレスが軽減される。
【０００４】
【特許文献１】特開２００１−４６３０８号公報
【発明の開示】
【発明が解決しようとする課題】
【０００５】
従来の引出し式食器洗浄機では、洗浄槽を食器洗浄機本体内の所定位置に押戻したときに、食器洗浄機本体の後板と洗浄槽の背面の間の狭いスペース内に給水ホースと排水ホースが収容させる構成をとっている。このスペースは狭く、その狭いスペースに収容するためには給水ホースと排水ホースを小さな曲率半径でシャープに屈曲させる必要がある。
食器洗浄機本体の後板と洗浄槽の背面の間のスペースは、特に洗浄槽のスライド方向に短いために、給水ホースと排水ホースを上方に屈曲させて収容するためには、給水ホースと排水ホースを極めて小さな曲率半径でシャープに屈曲させる必要がある。ホースを極めて小さな曲率半径でシャープに屈曲させると、ホースの耐久性が短縮化される。そこで、給水ホースと排水ホースを上方のみならず、側方にも屈曲させる構造がしばしば採用される。給水ホースと排水ホースを上方と側方の双方に屈曲させると、給水ホースと排水ホースが比較的大きな曲率半径で緩やかに屈曲していても、食器洗浄機本体の後板と洗浄槽の背面との間の狭いスペース内に収容することができる。
しかしながら、給水ホースと排水ホースを上方と側方の双方に屈曲させる方式では、給水ホースと排水ホースを３次元的に屈曲させなければならず、そのガイド機構が難しい物となってしまう。給水ホースと排水ホースを上方のみに屈曲させる方式では、給水ホースと排水ホースが同一面内に維持されるために、ガイド機構が簡単化されるが、食器洗浄機本体の後板と洗浄槽の背面の間の狭いスペース内に収容するためには給水ホースと排水ホースを極めて小さな曲率半径でシャープに屈曲させる必要があり、ホースの耐久性が短縮化される。
【０００６】
本発明は、給水ホースと排水ホースを３次元的に屈曲させる必要がなく、同一面内で屈曲させればよいためにガイド機構が簡単化され、それでいながら給水ホースと排水ホースを極めて小さな曲率半径でシャープに屈曲させる必要をなくせる収容機構を提供することを目的とする。
【課題を解決するための手段】
【０００７】
本発明の引出し式食器洗浄機は、食器洗浄機本体と、食器洗浄機本体内に引出し可能に収容される洗浄槽と、洗浄槽に給水するための給水ホースと、洗浄槽から排水するための排水ホースを備えている。本発明の引出し式食器洗浄機は、食器洗浄機本体の内側面と洗浄槽の外側面との間の扁平スペース内に給水ホースと排水ホースが扁平面内で曲げられた状態で収容されており、洗浄槽の引出し動作に追従してホースの屈曲部は移動するものの屈曲部の曲率半径は一定半径以上に維持される。
給水ホースと排水ホースを上方と側方の双方に屈曲させると、給水ホースと排水ホースが比較的大きな曲率半径で緩やかに屈曲していても、食器洗浄機本体の後板と洗浄槽の背面との間の狭いスペース内に収容することができる。しかしながら、給水ホースと排水ホースを３次元的に屈曲させるためのガイド機構の創造は難しい。給水ホースと排水ホースを上方のみに屈曲させる方式では、給水ホースと排水ホースが同一面内に維持されるために、ガイド機構が簡単化されるが、食器洗浄機本体の後板と洗浄槽の背面の間の狭いスペース内に収容するためには給水ホースと排水ホースを極めて小さな曲率半径でシャープに屈曲させる必要があり、ホースの耐久性が短縮化される。
本発明の引出し式食器洗浄機では、食器洗浄機本体の内側面と洗浄槽の外側面との間の扁平スペース内に給水ホースと排水ホースを収容する。食器洗浄機本体の内側面と洗浄槽の外側面との間の扁平スペースは、洗浄槽が食器洗浄機本体内に収容されているときであっても、洗浄槽のスライド方向に広く確保されている。このため、この扁平スペース内において、給水ホースと排水ホースを緩やかな曲率半径で屈曲させることができる。
また、本発明の引出し式食器洗浄機では、洗浄槽の引出し動作に伴って、給水ホースと排水ホースは、屈曲部の曲率半径を一定半径以上に保ちながら屈曲部を移動させる。このことによって、給水ホースと排水ホースの特定の箇所にストレスを掛けることがなく、耐久性を向上させることができる。
【０００８】
本発明の引出し式食器洗浄機では、洗浄槽の側方の一方の扁平スペース内に給水ホースが収容されており、他方の扁平スペース内に排水ホースが収容されていることが好ましい。
このように、給水ホースと排水ホースを洗浄槽の左右両側の扁平スペースにそれぞれ振り分けることによって、それぞれの扁平スペースを最大限に有効に活用することができる。給水ホースと排水ホースの配設の自由度が増し、屈曲部の曲率半径をより大きく取ることができる。
【０００９】
本発明の引出し式食器洗浄機の扁平スペース内に、ホース屈曲部の曲率半径を一定半径以上に維持するガイド部材が、食器洗浄機本体にも洗浄槽にも移動可能に配置されていることが好ましい。
これによれば、洗浄槽の引出し動作に追従するホースの屈曲部の移動を、よりスムーズに行うことができ、さらには、洗浄槽の引出し動作をよりスムーズに行うことができる。
【発明を実施するための最良の形態】
【００１０】
以下に説明する実施例の主要な特徴を最初に列記する。
（形態１）  第１のガイド部材は、食器洗浄機の前後方向に伸びる棒状の部材である支持部と、円弧形状の部材であり円弧の中央部が前方に突出するように支持部の前部先端に固定されている案内部と、一端が開口した筒状の部材であり支持部を前後方向に抜差し可能に支持している鞘部と、支持部の周囲に配設されて一端は支持部の前部先端に固定されており他端は鞘部の後端に固定されており支持部を前方へ付勢しているバネとを備えている。
（形態２）  第２のガイド部材は、ホースの周囲に取付けられる複数個のケーブルラックを備えている。複数個のケーブルラックはそれぞれの接続部において直列に接続されており、接続部において一定の曲角度の範囲内で回動可能であり、接続部での曲方向は一方向に規制されている。
（形態３）  第３のガイド部材は、洗浄槽側面に取付けられている一対のレールと、その一対のレールによって前後方向にスライド可能に保持されているスライド部と、スライド部に取付けられてスライド部に垂直な軸によって回転可能なローラと、スライド部を前方へ付勢するバネとを備えている。
（形態４）  第４のガイド部材は、洗浄槽側面に取付けられている一対のレールと、その一対のレールによって前後方向にスライド可能に保持されているスライド部と、スライド部に取付けられている２枚の円弧状に曲げられた板部材であり２枚の円弧状板部材の間に給水ホースが大きな抵抗なく行き来することができる間隔が設けられている案内部と、スライド部を前方へ付勢するバネとを備えている。
【実施例１】
【００１１】
本発明を具現化した第１実施例を図１と図２を用いて説明する。図１と図２はそれぞれ本実施例の引出し式食器洗浄機の縦断面概略図であり、図１は食器洗浄機の正面に向かって右側から見た図であり、図２は食器洗浄機の正面に向かって左側から見た図である。図１（ａ）と図２（ａ）は食器洗浄機本体内に洗浄槽が収容されている状態を示しており、図１（ｂ）と図２（ｂ）は食器洗浄機本体内から洗浄槽が引出されている状態を示している。
本実施例の引出し式食器洗浄機の構成について説明する。なお、本実施例の食器洗浄機が通常の食器洗浄機と同様の構成である部位については、図示を省略して簡単に説明するか、あるいは説明を割愛する。
【００１２】
図１に示すように、食器洗浄機本体１０の内部には洗浄槽１２が収容されている。洗浄槽１２の前部（図１中では左側）には、扉１４が取付けられている。洗浄槽１２の側面（食器洗浄機の正面に向かって右側の側面）の接続部１２ａに、給水管１６の端部１６ａが接続されている。給水管１６の途中には給水弁１８が設けられている。給水弁１８は食器洗浄機本体１０内に固定されている。給水管１６の端部１６ｂは給水源に接続されている。なお、給水管１６の端部１６ａと給水弁１８の間は、曲げ伸ばし自在の給水ホース１６ｃとなっている。
食器洗浄機本体１０の内側面と洗浄槽１２の外側面との間の左右の扁平スペース内には、給水ホース１６ｃをガイドするガイド部材２０が配設されている。ガイド部材２０は、支持部２０ａと、案内部２０ｂと、鞘部２０ｃと、バネ２０ｄとを備えている。なお、ガイド部材２０はカバーによって覆われているが、ここでは図の明瞭化のためにカバーの図示を省略している。支持部２０ａは、食器洗浄機の前後方向に伸びる棒状の部材である。案内部２０ｂは、円弧形状の部材であり、支持部２０ａの前部先端に、円弧の中央部が前方に突出するように固定されている。鞘部２０ｃは、一端が開口した筒状の部材であり、支持部２０ａを前後方向に抜差し可能に支持している。なお、図示していないが、鞘部２０ｃにはフランジが形成されており、このフランジは食器洗浄機本体１０内部に固定されている。バネ２０ｄは、支持部２０ａの周囲に配設され、一端は支持部２０ａの前部先端に固定されており、他端は鞘部２０ｃの後端に固定されている。バネ２０ｄは支持部２０ａを前方へ付勢している。なお、ガイド部材２０が給水ホース１６ｃをガイドする機構については後で詳述する。
【００１３】
図２に示すように、洗浄槽１２の下方には、水溜め部２２が設けられている。水溜め部２２には、排水管２４の端部２４ａや図示しない洗浄水循環管の一端が接続されている。なお、図２中では右側が前部である。
排水管２４の途中には、排水ポンプ２６が設けられており、排水ポンプ２６は洗浄槽１２の側面（食器洗浄機の正面に向かって左側の側面）に固定されている。排水管２４の端部２４ｂから食器洗浄機本体１０の外部に排水される。排水管２４の後部には逆流を防止するためのトラップ部２４ｃが形成されている。なお、排水ポンプ２６とトラップ部２４ｃの間は、曲げ伸ばし自在の排水ホース２４ｄとなっている。
食器洗浄機本体１０の内側面と洗浄槽１２の外側面との間の左右の扁平スペース内には、排水ホース２４ｄをガイドするガイド部材２８が配設されている。ガイド部材２８はガイド部材２０と同様の部材（但し左右対称）であり、支持部２８ａと、案内部２８ｂと、鞘部２８ｃと、バネ２８ｄとを備えている。ガイド部材２８もカバーによって覆われているが、ここでは図の明瞭化のためにカバーの図示を省略している。また、図示していないが、鞘部２８ｃに形成されているフランジは食器洗浄機本体１０内部に固定されている。なお、ガイド部材２８が排水ホース２４ｄをガイドする機構については後で詳述する。
洗浄水循環管は、洗浄水が循環する管であり、その途中には、図示しない洗浄ポンプが設けられている。洗浄水循環管の他端は、洗浄槽１２の内部の図示しない回転ノズル等に接続されている。回転ノズルや洗浄槽内壁には複数の噴射口が形成されており、これらの噴射口から洗浄水が食器類に噴射され、洗浄が行われる。
【００１４】
次に、ガイド部材２０が給水ホース１６ｃをガイドするときの動作について説明する。
図１（ａ）は、洗浄槽１２が食器洗浄機本体１０内に収容されている状態を示している。給水ホース１６ｃは、給水弁１８から前方の案内部２０ｂまで伸び、案内部２０ｂのカーブに沿って上方へ緩やかに曲げられてＵターンし、後方の端部１６ａ（接続部１２ａ）まで伸びている。支持部２０ａはバネ２０ｄによって前方へ付勢されているため、給水ホース１６ｃは途中で弛むことなく伸びている。ガイド部材２０の支持部２０ａは鞘部２０ｃ内に収容されており、バネ２０ｄは最も収縮した状態となっている。
図１（ｂ）は、洗浄槽１２が食器洗浄機本体１０内から引出されている状態を示している。図１（ａ）と比べ、給水ホース１６ｃは、給水弁１８と案内部２０ｂとの間の長さが伸び、案内部２０ｂと端部１６ａとの長さは縮んでいる。支持部２０ａはバネ２０ｄによって前方へ付勢されているため、給水ホース１６ｃは途中で弛むことなく伸びている。ガイド部材２０の支持部２０ａは鞘部２０ｃから大部分が前方に突出しており、バネ２０ｄは最も伸長した状態となっている。
【００１５】
図１（ａ）に示す、洗浄槽１２が食器洗浄機本体１０内に収容されている状態から、洗浄槽１２が引出されて前方へ移動すると、給水ホース１６ｃが接続されている接続部１２ａ（即ち給水ホース１６ｃの端部１６ａ）も前方へ移動する。洗浄槽１２が前方へ移動するにつれて、給水ホース１６ｃの端部１６ａは前方へ移動して給水弁１８と案内部２０ｂとの距離が伸び、給水ホース１６ｃの屈曲部（給水ホース１６ｃと案内部２０ｂの接触箇所）は端部１６ａの方へずれていく。給水ホース１６ｃの端部１６ａは前方へ移動しても、給水弁１８側の端部自体は移動しないため、給水ホース１６ｃの屈曲部は、洗浄槽１２が移動した距離の半分の距離だけ前方へ移動する。給水ホース１６ｃを案内する案内部２０ｂは支持部２０ａに取付けられており、支持部２０ａは前後にスライド可能に鞘部２０ｃに支持され、バネ２０ｄによって前方へ付勢されている。従って、支持部２０ａと案内部２０ｂは、洗浄槽１２が移動した距離の半分の距離だけ前方へスライドする。この作用によって、洗浄槽１２が引出される動作中、案内部２０ｂは給水ホース１６ｃを弛ませることなくガイドし続ける。
また、図１（ｂ）に示す、洗浄槽１２が食器洗浄機本体１０内から引出されている状態から、洗浄槽１２が押込まれて後方へ移動すると、給水ホース１６ｃの端部１６ａが後方へ移動する。給水ホース１６ｃの端部１６ａが後方へ移動するにつれて、給水ホース１６ｃの屈曲部は給水弁１８の方へずれていく。給水ホース１６ｃの端部１６ａは後方へ移動しても、給水弁１８側の端部自体は移動しないため、給水ホース１６ｃの屈曲部は、洗浄槽１２が移動した距離の半分の距離だけ後方へ移動する。従って、支持部２０ａと案内部２０ｂは、洗浄槽１２が移動した距離の半分の距離だけ前方へスライドする。この作用によって、洗浄槽１２が押込まれる動作中、案内部２０ｂは給水ホース１６ｃを弛ませることなくガイドし続ける。
以上のように、ガイド部材２０は洗浄槽１２の左右何れかの外側面に配設され、給水ホース１６ｃが、食器洗浄機本体１０の内側面と洗浄槽１２の外側面との間の扁平スペース内で２次元的に緩やかに曲げられるようにガイドしている。給水ホース１６ｃは、洗浄槽１２の引出し動作に伴って、ガイド部材２０によってガイドされる位置を移動させながら、弛むことなくガイドされる。ホースを３次元的に屈曲させることなく、扁平面内において、給水ホース１６ｃの屈曲部の曲率半径を一定半径以上に保ちながら屈曲部を移動させることができる。
【００１６】
次に、ガイド部材２８が排水ホース２４ｄをガイドするときの動作について説明する。
図２（ａ）は、洗浄槽１２が食器洗浄機本体１０内に収容されている状態を示している。排水ホース２４ｄは、排水ポンプ２６から前方の案内部２８ｂまで伸び、案内部２８ｂのカーブに沿って上方へ緩やかに曲げられてＵターンし、後方のトラップ部２４ｃまで伸びている。支持部２８ａはバネ２８ｄによって前方へ付勢されているため、排水ホース２４ｄは途中で弛むことなく伸びている。ガイド部材２８の支持部２８ａは鞘部２８ｃ内に収容されており、バネ２８ｄは最も収縮した状態となっている。
図２（ｂ）は、洗浄槽１２が食器洗浄機本体１０内から引出されている状態を示している。図２（ａ）と比べ、排水ホース２４ｄは、排水ポンプ２６と案内部２８ｂとの間の長さが縮み、案内部２８ｂとトラップ部２４ｃとの長さは伸びている。支持部２８ａはバネ２８ｄによって前方へ付勢されているため、排水ホース２４ｄは途中で弛むことなく伸びている。ガイド部材２８の支持部２８ａは鞘部２８ｃから大部分が前方に突出しており、バネ２８ｄは最も伸長した状態となっている。
【００１７】
図２（ａ）に示す、洗浄槽１２が食器洗浄機本体１０内に収容されている状態から、洗浄槽１２が引出されて前方へ移動すると、排水ホース２４ｄが接続されている排水ポンプ２６も前方へ移動する。洗浄槽１２が前方へ移動するにつれて、排水ホース２４ｄの排水ポンプ２６側の端部は前方へ移動してトラップ部２４ｃと案内部２８ｂとの距離が伸び、排水ホース２４ｄの屈曲部（排水ホース２４ｄと案内部２８ｂの接触箇所）は排水ポンプ２６側の端部の方へずれていく。排水ポンプ２６側の端部は前方へ移動しても、トラップ部２４ｃ側の端部は移動しないため、排水ホース２４ｄの屈曲部は、洗浄槽１２が移動した距離の半分の距離だけ前方へ移動する。排水ホース２４ｄを案内する案内部２８ｂは支持部２８ａに取付けられており、支持部２８ａは前後にスライド可能に鞘部２８ｃに支持され、バネ２８ｄによって前方へ付勢されている。従って、支持部２８ａと案内部２８ｂは、洗浄槽１２が移動した距離の半分の距離だけ前方へスライドする。この作用によって、洗浄槽１２が引出される動作中、案内部２８ｂは排水ホース２４ｄを弛ませることなくガイドし続ける。
また、図２（ｂ）に示す、洗浄槽１２が食器洗浄機本体１０内から引出されている状態から、洗浄槽１２が押込まれて後方へ移動すると、排水ホース２４ｄの排水ポンプ２６側の端部が後方へ移動する。排水ポンプ２６側の端部が後方へ移動するにつれて、排水ホース２４ｄの屈曲部はトラップ部２４ｃの方へずれていく。排水ホース２４ｄの排水ポンプ２６側の端部は後方へ移動しても、トラップ部２４ｃ側の端部は移動しないため、排水ホース２４ｄの屈曲部は、洗浄槽１２が移動した距離の半分の距離だけ後方へ移動する。従って、支持部２８ａと案内部２８ｂは、洗浄槽１２が移動した距離の半分の距離だけ前方へスライドする。この作用によって、洗浄槽１２が押込まれる動作中、案内部２８ｂは排水ホース２４ｄを弛ませることなくガイドし続ける。
以上のように、ガイド部材２８は、食器洗浄機本体１０の内側面と洗浄槽１２の外側面との間の左右の扁平スペースのうち、ガイド部材２０が配設されている扁平スペースと反対側の扁平スペース内に配設され、排水ホース２４ｄが、食器洗浄機本体１０の内側面と洗浄槽１２の外側面との間の扁平スペース内で２次元的に緩やかに曲げられるようにガイドしている。排水ホース２４ｄは、洗浄槽１２の引出し動作に伴って、ガイド部材２８によってガイドされる位置を移動させながら、弛むことなくガイドされる。ホースを３次元的に屈曲させることなく、扁平面内において、排水ホース２４ｄの屈曲部の曲率半径を一定半径以上に保ちながら屈曲部を移動させることができる。
【実施例２】
【００１８】
本発明を具現化した第２実施例を図３と図４を用いて説明する。図３と図４はそれぞれ本実施例の引出し式食器洗浄機の縦断面概略図であり、図３は食器洗浄機の正面に向かって右側から見た図であり、図４は食器洗浄機の正面に向かって左側から見た図である。図３（ａ）と図４（ａ）は食器洗浄機本体内に洗浄槽が収容されている状態を示しており、図３（ｂ）と図４（ｂ）は食器洗浄機本体内から洗浄槽が引出されている状態を示している。
本実施例の引出し式食器洗浄機の構成について説明する。なお、本実施例の食器洗浄機が通常の食器洗浄機と同様の構成である部位については、図示を省略して簡単に説明するか、あるいは説明を割愛する。また、第１実施例の食器洗浄機と同様の部分については同一の符号を用いている。
【００１９】
図３に示すように、食器洗浄機本体１０の内部には洗浄槽１２が収容されている。洗浄槽１２の前部（図３中では左側）には、扉１４が取付けられている。洗浄槽１２の側面（食器洗浄機の正面に向かって右側の側面）の接続部１２ａに、給水管３６の端部３６ａが接続されている。給水管３６の途中には給水弁１８が設けられている。給水弁１８は食器洗浄機本体１０内の洗浄槽１２の後方に固定されている。給水管３６の端部３６ｂは給水源に接続されている。なお、給水管３６の端部３６ａと給水弁１８の間は、曲げ伸ばし自在の給水ホース３６ｃとなっている。
給水ホース３６ｃの周囲に、複数個のケーブルラック３０ａからなるガイド部材３０が取付けられている。なお、ガイド部材３０はカバーによって覆われているが、ここでは図の明瞭化のためにカバーの図示を省略している。ケーブルラック３０ａは、それぞれの接続部３０ｂにおいて直列に接続されている。ガイド部材３０は、接続部３０ｂにおいて一定の曲角度の範囲内で回動可能である。ガイド部材３０の接続部３０ｂでの曲方向は一方向に規制されており、逆方向には曲げられない。なお、ガイド部材３０が給水ホース３６ｃをガイドする機構については後で詳述する。
【００２０】
図４に示すように、洗浄槽１２の下方には、水溜め部２２が設けられている。水溜め部２２には、排水管３４の端部３４ａや図示しない洗浄水循環管の一端が接続されている。
排水管３４の途中には、排水ポンプ２６が設けられており、排水ポンプ２６は洗浄槽１２の側面（食器洗浄機の正面に向かって左側の側面）に固定されている。排水管３４の端部３４ｂから食器洗浄機本体１０の外部に排水される。排水管３４の後部には逆流を防止するためのトラップ部３４ｃが形成されている。なお、排水ポンプ２６とトラップ部３４ｃの間は、曲げ伸ばし自在の排水ホース３４ｄとなっている。
排水ホース３４ｄの周囲に、ガイド部材３８が取付けられている。ガイド部材３８もカバーによって覆われているが、ここでは図の明瞭化のためにカバーの図示を省略している。ガイド部材３８はガイド部材３０と同様の部材であり、複数個のケーブルラック３８ａからなり、それぞれの接続部３８ｂにおいて直列に接続されている。ガイド部材３８は、接続部３８ｂにおいて一定の曲角度の範囲内で回動可能である。ガイド部材３８の接続部３８ｂでの曲方向は一方向に規制されており、逆方向には曲げられない。なお、ガイド部材３８が排水ホース３４ｄをガイドする機構については後で詳述する。
【００２１】
次に、ガイド部材３０が給水ホース３６ｃをガイドするときの動作について説明する。
図３（ａ）は、洗浄槽１２が食器洗浄機本体１０内に収容されている状態を示している。先述のように、ガイド部材３０の接続部３０ｂでの曲角度には範囲があり、接続部３０ｂでの曲方向は一方向に規制されている。ガイド部材３０にガイドされている給水ホース３６ｃは、給水弁１８から前方へ伸び、給水ホース３６ｃの中程で上方へ緩やかに曲げられてＵターンし、後方の端部３６ａ（接続部１２ａ）まで伸びている。従って、給水ホース３６ｃのＵターン箇所は半円弧形状となり、それ以外の箇所は直線形状となる。給水ホース３６ｃがＵターンしている箇所では、ガイド部材３０の接続部３０ｂでの曲角度が最大となっている。
図３（ｂ）は、洗浄槽１２が食器洗浄機本体１０内から引出されている状態を示している。図３（ａ）と比べ、給水ホース３６ｃは、給水弁１８とＵターン箇所との間の長さが縮み、Ｕターン箇所と端部３６ａとの長さは伸びている。図３（ａ）と同様に、Ｕターン箇所は円弧形状となっており、Ｕターン箇所以外の箇所は直線形状となる。
【００２２】
図３（ａ）に示す、洗浄槽１２が食器洗浄機本体１０内に収容されている状態から、洗浄槽１２が引出されて前方へ移動すると、洗浄槽１２の接続部１２ａに接続されている給水ホース３６ｃの端部３６ａも前方へ移動する。端部３６ａが前方へ移動すると、ガイド部材３０はキャタピラ式に動き、Ｕターン箇所が端部３６ａの方へずれていく。
また、図３（ｂ）に示す、洗浄槽１２が食器洗浄機本体１０内から引出されている状態から、洗浄槽１２が押込まれて後方へ移動すると、接続部１２ａ（給水ホース３６ｃの端部３６ａ）が後方へ移動する。給水ホース３６ｃの端部３６ａが後方へ移動すると、ガイド部材３０はキャタピラ式に動き、Ｕターン箇所が給水弁１８の方へずれていく。
以上のように、ガイド部材３０は食器洗浄機本体１０の内側面と洗浄槽１２の外側面との間の左右何れかの扁平スペース内において、給水ホース３６ｃを２次元的に緩やかに曲げ、それ以外の箇所を直線形状に維持するようにガイドしている。給水ホース３６ｃは、洗浄槽１２の引出し動作に伴って、Ｕターン箇所を移動させながら、弛むことなくガイドされる。給水ホース３６ｃを３次元的に屈曲させることなく、扁平面内において、ホースの屈曲部の曲率半径を一定半径以上に保ちながら屈曲部を移動させることができる。
【００２３】
次に、ガイド部材３８が排水ホース３４ｄをガイドするときの動作について説明する。
図４（ａ）は、洗浄槽１２が食器洗浄機本体１０内に収容されている状態を示している。ガイド部材３８は、ガイド部材３０と同様に、接続部３８ｂでの曲角度には範囲があり、接続部３８ｂでの曲方向は一方向に規制されている。ガイド部材３８にガイドされている排水ホース３４ｄは、排水ポンプ２６から前方へ伸び、排水ホース３４ｄの中程で上方へ緩やかに曲げられてＵターンし、後方のトラップ部３４ｃまで伸びている。従って、給水ホース３６ｃと同様に、排水ホース３４ｄのＵターン箇所は半円弧形状となり、それ以外の箇所は直線形状となる。排水ホース３４ｄがＵターンしている箇所では、ガイド部材３８の接続部３８ｂでの曲角度が最大となっている。
図４（ｂ）は、洗浄槽１２が食器洗浄機本体１０内から引出されている状態を示している。図４（ａ）と比べ、排水ホース３４ｄは、排水ポンプ２６と箇所との間の長さが縮み、Ｕターン箇所とトラップ部３４ｃとの長さは伸びている。図４（ａ）と同様に、Ｕターン箇所は円弧形状となっており、Ｕターン箇所以外の箇所は直線形状となる。
【００２４】
図４（ａ）に示す、洗浄槽１２が食器洗浄機本体１０内に収容されている状態から、洗浄槽１２が引出されて前方へ移動すると、排水ポンプ２６に接続されている排水ホース３４ｄも前方へ移動する。排水ホース３４ｄが前方へ移動すると、ガイド部材３８はキャタピラ式に動き、Ｕターン箇所が排水ポンプ２６の方へずれていく。
また、図４（ｂ）に示す、洗浄槽１２が食器洗浄機本体１０内から引出されている状態から、洗浄槽１２が押込まれて後方へ移動すると、排水ポンプ２６に接続されている排水ホース３４ｄも後方へ移動する。排水ホース３４ｄは後方へ移動すると、ガイド部材３８はキャタピラ式に動き、Ｕターン箇所がトラップ部３４ｃの方へずれていく。
以上のように、ガイド部材３８は、食器洗浄機本体１０の内側面と洗浄槽１２の外側面との間の左右の扁平スペースのうち、ガイド部材３０が配設されている扁平スペースと反対側の扁平スペース内において、排水ホース３４ｄを２次元的に緩やかに曲げ、それ以外の箇所を直線的に維持するようにガイドしている。排水ホース３４ｄは、洗浄槽１２の引出し動作に伴って、Ｕターン箇所を移動させながら、弛むことなくガイドされる。排水ホース３４ｄを３次元的に屈曲させることなく、扁平面内において、ホースの屈曲部の曲率半径を一定半径以上に保ちながら屈曲部を移動させることができる。
【実施例３】
【００２５】
本発明を具現化した第３実施例を図５と図６を用いて説明する。図５と図６はそれぞれ本実施例の引出し式食器洗浄機の縦断面概略図であり、図５は食器洗浄機の正面に向かって右側から見た図であり、図６は食器洗浄機の正面に向かって左側から見た図である。図５（ａ）と図６（ａ）は食器洗浄機本体内に洗浄槽が収容されている状態を示しており、図５（ｂ）と図６（ｂ）は食器洗浄機本体内から洗浄槽が引出されている状態を示している。
本実施例の引出し式食器洗浄機の構成について説明する。なお、本実施例の食器洗浄機が通常の食器洗浄機と同様の構成である部位については、図示を省略して簡単に説明するか、あるいは説明を割愛する。また、第１実施例や第２実施例の食器洗浄機と同様の部分については同一の符号を用いている。
【００２６】
図５に示すように、食器洗浄機本体１０の内部には洗浄槽１２が収容されている。洗浄槽１２の前部（図５中では左側）には、扉１４が取付けられている。洗浄槽１２の側面（食器洗浄機の正面に向かって右側の側面）の接続部１２ａに、給水管４６の端部４６ａが接続されている。給水管４６の途中には給水弁１８が設けられている。給水弁１８は食器洗浄機本体１０内の洗浄槽１２の後方に固定されている。給水管４６の端部４６ｂは給水源に接続されている。なお、給水管４６の端部４６ａと給水弁１８の間は、曲げ伸ばし自在の給水ホース４６ｃとなっている。
洗浄槽１２の外側面には、給水ホース４６ｃをガイドするガイド部材４０が取付けられている。ガイド部材４０は、支持部４０ａと、スライド部４０ｂと、ローラ４０ｃと、バネ４０ｄとを備えている。なお、ガイド部材４０はカバーによって覆われているが、ここでは図の明瞭化のためにカバーの図示を省略している。支持部４０ａは洗浄槽１２の側面に取付けられており、矩形の板状部材である。支持部４０ａの上辺と下辺は折返されている（折返し部とする）。スライド部４０ｂは矩形の板状部材であり、支持部４０ａの折返し部によって上縁と下縁が前後方向にスライド可能に保持されている。スライド部４０ｂにはローラ４０ｃが取付けられている。ローラ４０ｃは、スライド部４０ｂに垂直な軸によって回転可能に取付けられている。なお、給水ホース４６ｃはローラ４０ｃの周面に案内される。また、スライド部４０ｂの前端部にはフランジが形成されており、扉１４の背面とフランジとの間に２本のバネ４０ｄが上下に平行に取付けられている。２本のバネ４０ｄはスライド部４０ｂを前方へ付勢している。なお、ガイド部材４０が給水ホース４６ｃをガイドする機構については後で詳述する。
【００２７】
図６に示すように、洗浄槽１２の下方には、水溜め部２２が設けられている。水溜め部２２には、排水管４４の端部４４ａや図示しない洗浄水循環管の一端が接続されている。
排水管４４の途中には、排水ポンプ２６が設けられており、排水ポンプ２６は洗浄槽１２の側面（食器洗浄機の正面に向かって左側の側面）に固定されている。排水管４４の端部４４ｂから食器洗浄機本体１０の外部に排水される。排水管４４の後部には逆流を防止するためのトラップ部４４ｃが形成されている。なお、排水ポンプ２６とトラップ部４４ｃの間は、曲げ伸ばし自在の排水ホース４４ｄとなっている。
洗浄槽１２の外側面には、排水ホース４４ｄをガイドするガイド部材４８が取付けられている。ガイド部材４８もカバーによって覆われているが、ここでは図の明瞭化のためにカバーの図示を省略している。ガイド部材４８はガイド部材４０と同様の部材（但し左右対称）であり、支持部４８ａと、スライド部４８ｂと、ローラ４８ｃと、バネ４８ｄとを備えている。排水ホース４４ｄはスライド部４８ｂに取付けられたローラ４８ｃに案内され、スライド部４８ｂは２本のバネ４８ｄによって前方へ付勢されている。なお、ガイド部材４８が排水ホース４４ｄをガイドする機構については後で詳述する。
【００２８】
次に、ガイド部材４０が給水ホース４６ｃをガイドするときの動作について説明する。
図５（ａ）は、洗浄槽１２が食器洗浄機本体１０内に収容されている状態を示している。給水ホース４６ｃは、給水弁１８から前方のローラ４０ｃまで伸び、ローラ４０ｃのカーブに沿って上方へ緩やかに曲げられてＵターンし、後方の端部４６ａ（接続部１２ａ）まで伸びている。スライド部４０ｂはバネ４０ｄによって前方へ付勢されているため、給水ホース４６ｃは途中で弛むことなく伸びている。スライド部４０ｂは支持部４０ａの前側の方で支持されており、バネ４０ｄは最も収縮した状態となっている。
図５（ｂ）は、洗浄槽１２が食器洗浄機本体１０内から引出されている状態を示している。図５（ａ）と比べ、給水ホース４６ｃは、給水弁１８とローラ４０ｃとの間の長さが伸び、ローラ４０ｃと端部４６ａとの長さは縮んでいる。スライド部４０ｂはバネ４０ｄによって前方へ付勢されているため、給水ホース４６ｃは途中で弛むことなく伸びている。ガイド部材４０のスライド部４０ｂは支持部４０ａから大部分が後方に突出しており、バネ４０ｄは最も伸長した状態となっている。
【００２９】
図５（ａ）に示す、洗浄槽１２が食器洗浄機本体１０内に収容されている状態から、洗浄槽１２が引出されて前方へ移動すると、給水ホース４６ｃが接続されている接続部１２ａ（即ち給水ホース４６ｃの端部４６ａ）も前方へ移動する。洗浄槽１２の外側面にはガイド部材４０が取付けられているため、洗浄槽１２が引出されて前方へ移動すると、ガイド部材４０も前方へ移動する。洗浄槽１２が前方へ移動するにつれて、給水ホース４６ｃの端部４６ａは前方へ移動し、給水ホース４６ｃとローラ４０ｃの接触箇所は端部４６ａの方へずれていく。しかし、給水ホース４６ｃの端部４６ａは前方へ移動しても、給水弁１８側の端部は移動しないため、給水ホース４６ｃとローラ４０ｃとの接触箇所は、洗浄槽１２が移動した距離の半分の距離しか移動することができない。給水ホース４６ｃを案内するローラ４０ｃはスライド部４０ｂに取付けられており、スライド部４０ｂは前後にスライド可能に支持部４０ａに支持されている。従って、スライド部４０ｂは支持部材４０ａに対して、洗浄槽１２が移動した距離の半分の距離だけ後方へスライドする。相対的に、スライド部４０ｂは、洗浄槽１２が移動した距離の半分の距離だけ前方へ移動する。なお、スライド部４０ｂはバネ４０ｄによって前方へ付勢されているため、洗浄槽１２が引出される動作中も、ローラ４０ｃは給水ホース４６ｃを弛ませることなくガイドし続ける。
また、図５（ｂ）に示す、洗浄槽１２が食器洗浄機本体１０内から引出されている状態から、洗浄槽１２が押込まれて後方へ移動すると、給水ホース４６ｃの端部４６ａが後方へ移動する。また、洗浄槽１２が押込まれて後方へ移動すると、ガイド部材４０も後方へ移動する。洗浄槽１２が後方へ移動するにつれて、給水ホース４６ｃの端部４６ａは後方へ移動し、給水ホース４６ｃとローラ４０ｃの接触箇所は給水弁１８の方へずれていく。しかし、給水ホース４６ｃの端部４６ａは後方へ移動しても、給水弁１８側の端部は移動しないため、給水ホース４６ｃとローラ４０ｃとの接触箇所は、洗浄槽１２が移動した距離の半分の距離しか移動することができない。従って、スライド部４０ｂは支持部材４０ａに対して、洗浄槽１２が移動した距離の半分の距離だけ前方へスライドする。相対的に、スライド部４０ｂは、洗浄槽１２が移動した距離の半分の距離だけ後方へ移動する。なお、スライド部４０ｂはバネ４０ｄによって前方へ付勢されているため、洗浄槽１２が押込まれる動作中も、ローラ４０ｃは給水ホース４６ｃを弛ませることなくガイドし続ける。
以上のように、ガイド部材４０は洗浄槽１２の左右何れかの外側面に配設され、給水ホース４６ｃが、食器洗浄機本体１０の内側面と洗浄槽１２の外側面との間の扁平スペース内で２次元的に曲げられるようにガイドしている。給水ホース４６ｃは、洗浄槽１２の引出し動作に伴って、ガイド部材４０によってガイドされる位置を移動させながら、弛むことなくガイドされる。ホースを３次元的に屈曲させることなく、扁平面内において、給水ホース４６ｃの屈曲部の曲率半径を一定半径以上に保ちながら屈曲部を移動させることができる。
【００３０】
次に、ガイド部材４８が排水ホース４４ｄをガイドするときの動作について説明する。
図６（ａ）は、洗浄槽１２が食器洗浄機本体１０内に収容されている状態を示している。排水ホース４４ｄは、排水ポンプ２６から前方のローラ４８ｃまで伸び、ローラ４８ｃのカーブに沿って上方へ緩やかに曲げられてＵターンし、後方のトラップ部４８ｃまで伸びている。スライド部４８ｂはバネ４８ｄによって前方へ付勢されているため、排水ホース４４ｄは途中で弛むことなく伸びている。スライド部４８ｂは支持部４８ａの前側の方で支持されており、バネ４８ｄは最も収縮した状態となっている。
図６（ｂ）は、洗浄槽１２が食器洗浄機本体１０内から引出されている状態を示している。図６（ａ）と比べ、排水ホース４４ｄは、排水ポンプ２６とローラ４８ｃとの間の長さが縮み、ローラ４８ｃとトラップ部４８ｃとの長さは伸びている。スライド部４８ｂはバネ４８ｄによって前方へ付勢されているため、排水ホース４４ｄは途中で弛むことなく伸びている。ガイド部材４８のスライド部４８ｂは支持部４８ａから大部分が後方に突出しており、バネ４８ｄは最も伸長した状態となっている。
【００３１】
図６（ａ）に示す、洗浄槽１２が食器洗浄機本体１０内に収容されている状態から、洗浄槽１２が引出されて前方へ移動すると、排水ポンプ２６と、排水ポンプ２６に接続されている排水ホース４４ｄも前方へ移動する。洗浄槽１２の外側面にはガイド部材４８が取付けられているため、洗浄槽１２が引出されて前方へ移動すると、ガイド部材４８も前方へ移動する。洗浄槽１２が前方へ移動するにつれて、排水ホース４４ｄの排水ポンプ２６側の端部は前方へ移動し、排水ホース４４ｄとローラ４８ｃの接触箇所は排水ポンプ２６側の端部の方へずれていく。しかし、排水ポンプ２６側の端部は前方へ移動しても、トラップ部４４ｃ側の端部は移動しないため、排水ホース４４ｄとローラ４８ｃとの接触箇所は、洗浄槽１２が移動した距離の半分の距離しか移動することができない。排水ホース４４ｄを案内するローラ４８ｃはスライド部４８ｂに取付けられており、スライド部４８ｂは前後にスライド可能に支持部４８ａに支持されている。従って、スライド部４８ｂは支持部材４８ａに対して、洗浄槽１２が移動した距離の半分の距離だけ後方へスライドする。相対的に、スライド部４８ｂは、洗浄槽１２が移動した距離の半分の距離だけ前方へ移動する。なお、スライド部４８ｂはバネ４８ｄによって前方へ付勢されているため、洗浄槽１２が引出される動作中も、ローラ４８ｃは排水ホース４４ｄを弛ませることなくガイドし続ける。
また、図６（ｂ）に示す、洗浄槽１２が食器洗浄機本体１０内から引出されている状態から、洗浄槽１２が押込まれて後方へ移動すると、排水ホース４４ｄの排水ポンプ２６側の端部４６ａが後方へ移動する。また、洗浄槽１２が押込まれて後方へ移動すると、ガイド部材４８も後方へ移動する。洗浄槽１２が後方へ移動するにつれて、排水ポンプ２６側の端部４６ａは後方へ移動し、排水ホース４４ｄとローラ４８ｃの接触箇所はトラップ部４４ｃの方へずれていく。しかし、排水ポンプ２６側の端部４６ａは後方へ移動しても、トラップ部４４ｃ側の端部は移動しないため、排水ホース４４ｄとローラ４８ｃとの接触箇所は、洗浄槽１２が移動した距離の半分の距離しか移動することができない。従って、スライド部４８ｂは支持部材４８ａに対して、洗浄槽１２が移動した距離の半分の距離だけ前方へスライドする。相対的に、スライド部４８ｂは、洗浄槽１２が移動した距離の半分の距離だけ後方へ移動する。なお、スライド部４８ｂはバネ４８ｄによって前方へ付勢されているため、洗浄槽１２が押込まれる動作中も、ローラ４８ｃは排水ホース４４ｄを弛ませることなくガイドし続ける。
以上のように、ガイド部材４８は、ガイド部材４０が配設されている洗浄槽１２の外側面と反対側の外側面に配設され、排水ホース４４ｄが、食器洗浄機本体１０の内側面と洗浄槽１２の外側面との間の扁平スペース内で２次元的に曲げられるようにガイドしている。排水ホース４４ｄは、洗浄槽１２の引出し動作に伴って、ガイド部材４８によってガイドされる位置を移動させながら、弛むことなくガイドされる。排水ホース４４ｄを３次元的に屈曲させることなく、扁平面内において、ホースの屈曲部の曲率半径を一定半径以上に保ちながら屈曲部を移動させることができる。
【実施例４】
【００３２】
本発明を具現化した第４実施例を図７を用いて説明する。図７は本実施例の引出し式食器洗浄機の縦断面概略図であり、食器洗浄機の正面に向かって右側から見た図である。図７は食器洗浄機本体内に洗浄槽が収容されている状態を示している。
本実施例の引出し式食器洗浄機の構成について説明する。なお、本実施例の食器洗浄機は第３実施例の変形例である。従って、第３実施例と同様の部分については、図示を省略して簡単に説明するか、あるいは説明を割愛する。また、第１実施例や第２実施例の食器洗浄機と同様の部分については同一の符号を用いている。
【００３３】
図７に示すように、食器洗浄機本体１０の内部には洗浄槽１２が収容されている。洗浄槽１２の前部（図７中では左側）には、扉１４が取付けられている。洗浄槽１２の側面（食器洗浄機の正面に向かって右側の側面）の接続部１２ａに、給水管５６の端部５６ａが接続されている。給水管５６の途中には給水弁１８が設けられている。給水弁１８は食器洗浄機本体１０内の洗浄槽１２の後方に固定されている。給水管５６の端部５６ｂは給水源に接続されている。なお、給水管５６の端部５６ａと給水弁１８の間は、曲げ伸ばし自在の給水ホース５６ｃとなっている。
洗浄槽１２の外側面には、給水ホース５６ｃをガイドするガイド部材５０が取付けられている。ガイド部材５０は、支持部５０ａと、スライド部５０ｂと、案内部５０ｃと、バネ５０ｄとを備えている。なお、ガイド部材５０はカバーによって覆われているが、ここでは図の明瞭化のためにカバーの図示を省略している。支持部５０ａは洗浄槽１２の側面に取付けられており、矩形の板状部材である。支持部５０ａの上辺と下辺は折返されている（折返し部とする）。スライド部５０ｂは板状部材であり、支持部５０ａの折返し部によって上縁と下縁が前後方向にスライド可能に保持されている。スライド部５０ｂには案内部５０ｃが取付けられている。案内部５０ｃは、２枚の円弧状に曲げられた板部材からなり、２枚の板部材の間には、給水ホース５６ｃが大きな抵抗なく行き来することができる間隔が設けられている。また、スライド部５０ｂの前端部にはフランジが形成されており、扉１４の背面とフランジとの間に２本のバネ５０ｄが上下に平行に取付けられている。２本のバネ５０ｄはスライド部５０ｂを前方へ付勢している。
【００３４】
上記のガイド部材５０の構成は、第３実施例のガイド部材４０と酷似している。第３実施例のガイド部材４０では、給水ホース４６ｃはローラ４０ｃの周面によって案内されるが、第４実施例のガイド部材５０では、給水ホース５６ｃは案内部５０ｃを構成する２枚の円弧状の板部材の間に挟まれて案内される。また、図示は省略するが、本実施例の食器洗浄機は、ガイド部材５０が配設されている洗浄槽１２の外側面と反対側の外側面に、排水ホースをガイドするガイド部材を備えている。排水ホースをガイドするガイド部材の構成は、給水ホース４６ｃをガイドするガイド部材５０と同様の部材であり、第３実施例のガイド部材４８と酷似している。第４実施例の排水ホースのガイド部材も、給水ホース５６ｃのガイド部材５０の案内部５０ｃと同様に、第３実施例のガイド部材４８のローラ４８ｃに代えて、案内部を構成する２枚の円弧状の板部材の間に挟まれて案内される。
以上のことから、本実施例においても、第３実施例の食器洗浄機と同様の効果が得られる。即ち、本実施例においても、給水ホース５６ｃのガイド部材５０は洗浄槽１２の左右何れかの外側面に配設され、給水ホース５６ｃは、食器洗浄機本体１０の内側面と洗浄槽１２の外側面との間の扁平スペース内で２次元的に曲げられるようにガイドされる。また、排水ホースのガイド部材は洗浄槽１２の他方の外側面に配設され、排水ホースは、食器洗浄機本体１０の内側面と洗浄槽１２の外側面との間の他方の扁平スペース内で２次元的に曲げられるようにガイドされる。これらのことによって、給水ホース５６ｃと排水ホースは、洗浄槽１２の引出し動作に伴って、ガイド部材によってガイドされる位置を移動させながら、弛むことなくガイドされる。ホースを３次元的に屈曲させることなく、扁平面内において、ホースの屈曲部の曲率半径を一定半径以上に保ちながら屈曲部を移動させることができる。
【００３５】
給水ホースと排水ホースを上方と側方の双方に屈曲させると、給水ホースと排水ホースが比較的大きな曲率半径で緩やかに屈曲していても、食器洗浄機本体の後板と洗浄槽の背面との間の狭いスペース内に収容することができる。しかしながら、給水ホースと排水ホースを３次元的に屈曲させるためのガイド機構の創造は難しい。給水ホースと排水ホースを上方のみに屈曲させる方式では、給水ホースと排水ホースが同一面内に維持されるために、ガイド機構が簡単化されるが、食器洗浄機本体の後板と洗浄槽の背面の間の狭いスペース内に収容するためには給水ホースと排水ホースを極めて小さな曲率半径でシャープに屈曲させる必要があり、ホースの耐久性が短縮化される。
本発明の引出し式食器洗浄機では、食器洗浄機本体の内側面と洗浄槽の外側面との間の扁平スペース内に給水ホースと排水ホースを収容する。食器洗浄機本体の内側面と洗浄槽の外側面との間の扁平スペースは、洗浄槽が食器洗浄機本体内に収容されているときであっても、洗浄槽のスライド方向に広く確保されている。このため、この扁平スペース内において、給水ホースと排水ホースを緩やかな曲率半径で屈曲させることができる。また、本発明の引出し式食器洗浄機では、洗浄槽の引出し動作に伴って、給水ホースと排水ホースは、屈曲部の曲率半径を一定半径以上に保ちながら屈曲部を移動させる。よって、ホースを３次元的に曲げることなく、一定半径以上の曲率半径で屈曲させ、さらにその屈曲部を移動させることから、給水ホースと排水ホースの特定の箇所に大きなストレスを掛けることがなく、耐久性を向上させることができる。
【００３６】
また、第１実施例から第４実施例の何れの引出し式食器洗浄機においても、給水ホースと排水ホースを洗浄槽の左右の扁平スペース内に振り分けている。このことによって、左右両側にある食器洗浄機本体の内側面と洗浄槽の外側面との間の左右両側の扁平スペースを、それぞれ最大限に有効に活用することができる。給水ホースと排水ホースの配設の自由度が増し、屈曲部の曲率半径をより大きく取ることができる。
【００３７】
さらに、第１実施例から第４実施例の何れの引出し式食器洗浄機の扁平スペース内にも、ホース屈曲部の曲率半径を一定半径以上に維持するガイド部材が、食器洗浄機本体にも洗浄槽にも移動可能に配置されている。このことから、洗浄槽の引出し動作に追従するホースの屈曲部の移動を、よりスムーズに行うことができ、さらには、洗浄槽の引出し動作をよりスムーズに行うことができる。
さらに、第１実施例から第４実施例の何れの引出し式食器洗浄機においても、食器洗浄機本体の内側面と洗浄槽の外側面との間の左右両側の扁平スペース内に、給水ホースと排水ホースをそれぞれガイドするガイド部材を配設している。ガイド部材によって、洗浄槽の引出し動作に伴う給水ホースと排水ホースの動きをガイドすることによって、給水ホースと排水ホースの一定の緩やかな曲角度を確実に維持しながら、
なお、第１実施例から第４実施例に４種のガイド部材について記載したが、これらはガイド部材の例示にすぎず、これらの形状や構成に限られるものではない。
【００３８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３９】
【図１】第１実施例の引出し式食器洗浄機の縦断面概略図（右側）。
【図２】第１実施例の引出し式食器洗浄機の縦断面概略図（左側）。
【図３】第２実施例の引出し式食器洗浄機の縦断面概略図（右側）。
【図４】第２実施例の引出し式食器洗浄機の縦断面概略図（左側）。
【図５】第３実施例の引出し式食器洗浄機の縦断面概略図（右側）。
【図６】第３実施例の引出し式食器洗浄機の縦断面概略図（左側）。
【図７】第４実施例の引出し式食器洗浄機の縦断面概略図（右側）。
【符号の説明】
【００４０】
１０：食器洗浄機本体
１２：洗浄槽、１２ａ：接続部
１４：扉
１６：給水管、１６ａ：端部、１６ｂ：端部、１６ｃ：給水ホース
１８：給水弁
２０：ガイド部材、２０ａ：支持部、２０ｂ：案内部、２０ｃ：鞘部、２０ｄ：バネ
２２：水溜め部
２４：排水管、２４ａ：端部、２４ｂ：端部、２４ｃ：トラップ部、２４ｄ：排水ホース
２６：排水ポンプ
２８：ガイド部材、２８ａ：支持部、２８ｂ：案内部、２８ｃ：鞘部、２８ｄ：バネ
３０：ガイド部材、３０ａ：ケーブルラック、３０ｂ、接続部
３４：排水管、３４ａ：端部、３４ｂ：端部、３４ｃ：トラップ部、３４ｄ：排水ホース
３６：給水管、３６ａ：端部、３６ｂ：端部、３６ｃ：給水ホース
３８：ガイド部材、３８ａ：ケーブルラック、３８ｂ、接続部
４０：ガイド部材、４０ａ：支持部、４０ｂ：スライド部、４０ｃ：ローラ、４０ｄ：バネ
４４：排水管、４４ａ：端部、４４ｂ：端部、４４ｃ：トラップ部、４４ｄ：排水ホース
４６：給水管、４６ａ：端部、４６ｂ：端部、４６ｃ：給水ホース
４８：ガイド部材、４８ａ：支持部、４８ｂ：スライド部、４８ｃ：ローラ、４８ｄ：バネ
５０：ガイド部材、５０ａ：支持部、５０ｂ：スライド部、５０ｃ：案内部、５０ｄ：バネ
５６：給水管、５６ａ：端部、５６ｂ：端部、５６ｃ：給水ホース
【図１】
2005198901.tif 000003
【図２】
2005198901.tif 000004
【図３】
2005198901.tif 000005
【図４】
2005198901.tif 000006
【図５】
2005198901.tif 000007
【図６】
2005198901.tif 000008
【図７】
2005198901.tif 000009